(57)【特許請求の範囲】
【請求項１】
ディスク記録媒体に対してデータの記録再生を行うためのヘッドと、
前記ヘッドとの間で伝送する記録データ信号又は再生データ信号の信号処理回路であって、連接ターボ符号化／復号化方式を使用する符号化／復号化回路を含むリード／ライトチャネルとを具備し、
前記符号化／復号化回路は、
データ記録時に、記録データ系列に対して所定のインターリーバ長（Ｎ）でのインターリーブ処理を実行するインターリーバ手段と、
前記インターリーバ手段によりインターリーブされた記録データ系列を、前記インターリーバ長（Ｎ）との間で「Ｎ＝ｃ・Ｍ，但しｃ＞１」の関係を有する符号長（Ｍ）を単位として再帰的組織符号化系列に符号化するためのＲＳＣ符号器と、
前記再帰的組織符号化系列に対して事後確率方法での復号化処理を行なうＡＰＰ復号器と
を有する構成であることを特徴とするディスク記憶装置。
【請求項２】
前記符号化／復号化回路は、
前記記録データ系列をランレングス制限コード（ＲＬＬ）に変換するＲＬＬ符号器を含み、
前記インターリーバ手段は、当該ＲＬＬ符号器から出力されるＲＬＬ系列に対して所定のインターリーバ長でのインターリーブ処理を実行するように構成されていることを特徴とする請求項１に記載のディスク記憶装置。
【請求項３】
前記ＲＳＣ符号器は、前記インターリーバ手段によりインターリーブされたＲＬＬ系列を、前記符号長（Ｍ）を単位とし、所定の冗長ビットを付加した再帰的組織符号化系列に符号化するように構成されていることを特徴とする請求項２に記載のディスク記憶装置。
【請求項４】
前記符号化／復号化回路は、
前記ＲＳＣ符号器から出力される前記再帰的組織符号化系列に対して、所定の誤り率を確保する間引き率での間引き処理を実行するパンクチャ回路と、
当該パンクチャ回路から出力される符号化系列に対して再帰特性を与えるプリコーダとを含むことを特徴とする請求項１から請求項３のいずれか１項に記載のディスク記憶装置。
【請求項５】
前記プリコーダは、前記パンクチャ回路から出力される符号化系列に対して再帰特性を与えると共に、前記符号長（Ｍ）を単位としてある特定の状態に遷移するように所定の冗長ビットを付加する処理を実行するように構成されていることを特徴とする請求項４に記載のディスク記憶装置。
【請求項６】
ディスク記録媒体に対してデータの記録再生を行なうディスク記憶装置に適用し、連接ターボ符号化／復号化方式を利用したデータ記録再生方法であって、
データ記録時に、記録データ系列に対して所定のインターリーバ長（Ｎ）でのインターリーブ処理を実行するインターリーバ機能と、
前記インターリーバ機能によりインターリーブされた記録データ系列を、前記インターリーバ長（Ｎ）との間に「Ｎ＝ｃ・Ｍ，但しｃ＞１」の関係を有する所定の符号長（Ｍ）を単位として再帰的組織符号化系列に符号化するＲＳＣ機能と、
前記再帰的組織符号化系列に対して事後確率方法での復号化処理を行なうＡＰＰ復号機能と
を実現することを特徴とするデータ記録再生方法。
【請求項７】
前記記録データ系列をランレングス制限コード（ＲＬＬ）に変換する機能を有し、
前記インターリーバ機能は、当該ＲＬＬ系列に対して前記インターリーバ長（Ｎ）でのインターリーブ処理を実行することを特徴とする請求項６に記載のデータ記録再生方法。
【請求項８】
前記ＲＳＣ機能は、前記インターリーバ機能によりインターリーブされたＲＬＬ系列を、前記符号長（Ｍ）を単位とし、所定の冗長ビットを付加した再帰的組織符号化系列に符号化することを特徴とする請求項７に記載のデータ記録再生方法。
【請求項９】
前記ＲＳＣ機能により得られた前記再帰的組織符号化系列に対して、所定の誤り率を確保する間引き率での間引き処理を実行するパンクチャ機能を有することを特徴とする請求項６から請求項８のいずれか１項に記載のデータ記録再生方法。
【発明の詳細な説明】
【０００１】
【発明の属する技術分野】
本発明は、一般的にはディスク記憶装置の分野に関し、特に、ターボ符号化／復号化方式を適用したデータ記録再生機能に関する。
【０００２】
【従来の技術】
一般的に、ハードディスクドライブを代表とするディスク記憶装置（以下ディスクドライブと呼ぶ）では、記録媒体であるディスクからヘッドにより読出されたリード信号（再生データ信号）または当該ディスク上に記録するライト信号（記録データ信号）の信号処理を行なうための信号処理回路（以下リード／ライトチャネルと呼ぶ）が設けられている。
【０００３】
リード／ライトチャネルでは、通常では、パーシャルレスポンス（ＰＲ：Ｐａｒｔｉａｌ  Ｒｅｓｐｏｎｓｅ）方式と、ビタビ（Ｖｉｔｅｒｂｉ）復号化方法とを組み合わせた、いわゆるＰＲＭＬ（Ｐａｒｔｉａｌ  Ｒｅｓｐｏｎｓｅ  Ｍａｘｉｍｕｍ  Ｌｉｋｅｌｉｈｏｏｄ）方式が採用されている。
【０００４】
ところで近年、ディスクドライブの分野では、ＰＲＭＬ方式より良好な特性が得られると予想されるターボ（ｔｕｒｂｏ）符号化／復号化方式が注目されている。先行技術文献としては、例えば「ＣＯＤＩＮＧ  ＡＮＤ  ＩＴＥＲＡＴＩＶＥ  ＤＥＴＥＣＴＩＯＮ  ＦＯＲ  ＭＡＧＮＥＴＩＣ  ＲＥＣＯＲＤＩＮＧ  ＣＨＡＮＮＥＬＳ  ｂｙ  Ｚｉｎｉｎｇ  Ｗｕ  （Ｋｌｕｗｅｒ  Ａｃａｄｅｍｉｃ  Ｐｕｂｌｉｓｈｅｒｓ）」がある。
【０００５】
ディスクドライブのリード／ライトチャネルでは、具体的には、縦続連接ターボ符号化／復号化方式が検討されている。この方式は、再帰的組織畳み込み符号（ＲＳＣ：Ｒｅｃｕｒｓｉｖｅ  Ｓｙｓｔｅｍａｔｉｃ  Ｃｏｄｅ）を使用して、情報系列とパリティ系列とからなる組織符号系列を生成する。情報系列とは、ディスクドライブでは記録データ系列（入力情報系列）そのものである。また、パリティ系列とは、誤り訂正ビット列（検査ビット列）である。
【０００６】
一方、復号化系では、ビタビアルゴリズムに基づいて軟出力復号を得る軟出力ビタビアルゴリズム（ＳＯＶＡ：Ｓｏｆｔ−Ｏｕｔｐｕｔ  Ｖｉｔｅｒｂｉ  Ａｌｇｏｒｉｔｈｍ）等による事後確率（ＡＰＰ：Ａ  Ｐｏｓｔｅｒｉｏｒｉ  Ｐｒｏｂａｂｉｌｉｔｙ）復号を実行するＡＰＰ復号器が使用される
【０００７】
【発明が解決しようとする課題】
連接ターボ符号化／復号化方式をリード／ライトチャネルに適用するときに、ＲＳＣ符号化器が使用されて、情報系列とパリティ系列とからなる組織符号系列（ＲＳＣ）が生成される。ところで、一般的に、符号系列（誤り訂正符号）の符号長が大きい程、誤り訂正能力が向上し、結果として良好な誤り訂正率（改善量）を実現できる。
【０００８】
しかしながら、単に符号長を大きくすると、復号系での復号器の構成が複雑になる。ターボ符号化／復号化方式では、前記のＡＰＰ復号器が使用される。従って、ＲＳＣの符号長が大きくなると、それに伴なってＡＰＰ復号器の構成が複雑化またはその回路規模が増大化する問題がある。
【０００９】
そこで、本発明の目的は、連接ターボ符号化／復号化方式を適用したリード／ライトチャネルにおいて、復号化系に使用されるＡＰＰ復号器等の構成の簡単化を図ることができる構成を提供することにある。
【００１０】
【課題を解決するための手段】
本発明の観点は、特に連接ターボ符号化／復号化方式を適用したリード／ライトチャネルを使用するディスクドライブに関し、インターリーブ機能とＲＳＣ符号化機能とにより、実際上の符号長を増大化することなく、所定の誤り訂正率を確保できるターボ符号化／復号化回路を実現することにある。
【００１１】
本発明の観点によるディスクドライブは、ディスク記録媒体に対してデータの記録再生を行うためのヘッドと、前記ヘッドとの間で伝送する記録データ信号又は再生データ信号の信号処理回路であって、連接ターボ符号化／復号化方式を使用する符号化／復号化回路を含むリード／ライトチャネルとを具備し、前記符号化／復号化回路は、データ記録時に、記録データ系列に対して所定のインターリーバ長（Ｎ）でのインターリーブ処理を実行するインターリーバ手段と、前記インターリーバ手段によりインターリーブされた記録データ系列を、前記インターリーバ長（Ｎ）との間で「Ｎ＝ｃ・Ｍ，但しｃ＞１」の関係を有する符号長（Ｍ）を単位として再帰的組織符号化系列に符号化するためのＲＳＣ符号器と、前記再帰的組織符号化系列に対して事後確率方法での復号化処理を行なうＡＰＰ復号器とを有する構成である。
【００１２】
このような構成であれば、ターボ符号系列（ＲＳＣ）をインターリーバ長のサイズ（Ｎ）からなる情報ビット数として構成したときに、実際の符号長Ｍ（Ｎ＝ｃＭ，ｃ＞１）に対して見かけ上の符号長を大きくできる。従って、所定の誤り訂正率を確保できると共に、一方で実際の符号長Ｍを抑制することにより、ＡＰＰ復号器の構成の複雑化又は回路規模の増大化を回避できる。これにより、ディスクドライブのリード／ライトチャネルに含まれる符号化／復号化回路の簡単化を図ることができる。
【００１３】
【発明の実施の形態】
以下図面を参照して、本発明の実施の形態を説明する。
【００１４】
（ディスクドライブの構成）
図１は、本実施形態に関するディスクドライブの要部を示すブロック図である。
【００１５】
本ディスクドライブは、データ記録媒体であるディスク１と、プリアンプ回路４と、リード／ライトチャネル５と、ディスクコントローラ（ＨＤＣ）６とを有する。
【００１６】
ディスク１は、スピンドルモータ（ＳＰＭ）２により回転される。ヘッド３は、リードヘッドとライトヘッドとを含み、当該リードヘッドによりディスク１からデータを読出す。また、ヘッド３は、ライトヘッドによりディスク１上にデータを書き込む。プリアンプ回路４は、リードヘッドからのリード信号（再生データ信号）を増幅してリード／ライトチャネル５に送出するリードアンプ４０を有する。また、プリアンプ回路４は、リード／ライトチャネル５から出力されるライト信号（記録データ信号）をライト電流に変換してライトヘッドに供給するライトアンプ４１を有する。
【００１７】
リード／ライトチャネル５は、ターボ符号化／復号化方式を適用したターボ符号／復号回路（ターボコーデックと表記する場合がある）５０を含む。ライトチャネルは、当該ターボ符号化回路とライト信号処理回路５１とからなる。ライト信号処理回路５１は、記録補償（プリコン）回路などを含む。
【００１８】
リードチャネルは、ターボ復号化回路と、ＡＧＣ回路５２と、低域通過フィルタ（ＬＰＦ）５３と、Ａ／Ｄコンバータ５４と、イコライザ（ｅｑｕａｌｉｚｅｒ）５５とを有する。
【００１９】
ＡＧＣ回路５２は、リードアンプ４０からのリード信号の信号振幅を一定値に制御する。ＬＰＦ５３は、リード信号から高域のノイズを除去する。Ａ／Ｄコンバータ５４は、アナログのリード信号をディジタル信号に変換する。イコライザ５５は、通常では、ＦＩＲ（Ｆｉｎｉｔｅ  Ｉｍｐｕｌｓｅ  Ｒｅｓｐｏｎｓｅ）式のディジタルフィルタなどを含み、波形等化処理を実行する。
【００２０】
ここで、リード／ライトチャネル５では、ディジタル磁気記録再生におけるライトアンプ４１の入力からイコライザ５５の出力までが所望のＰＲ（Ｐａｒｔｉａｌ  Ｒｅｓｐｏｎｓｅ）特性を有するＰＲチャネルであり、一種の畳み込み符号と見なし、連接ターボ符号における内符号に相当する。
【００２１】
（ターボコーデックの構成）
ターボコーデック５０は、図２に示すように、ターボ符号化回路２０とターボ復号化回路２１とから構成される。ターボ符号化回路２０は、ランレングス制限長（ＲＬＬ：ｒｕｎ  ｌｅｎｇｔｈ  ｌｉｍｉｔｅｄ）符号器２００と、インターリーバ２０１と、再帰的組織符号系列（ＲＳＣ：Ｒｅｃｕｒｓｉｖｅ  Ｓｙｓｔｅｍａｔｉｃ  Ｃｏｄｅ）符号器２０２と、ＰＵＭＵＸ２０３と、プリコーダ２０４とを有する。
【００２２】
ＲＬＬ符号器２００は、記録データＷＤを通常のＲＬＬ符号系列に変換する。インターリーバ２０１は、ＲＬＬ符号系列の撹拌処理（ランダム化）に相当するインターリーブ処理を実行する。ＲＳＣ符号器２０２は、ＲＬＬ符号系列に対して外符号としての再帰的組織畳込み符号化処理を実行する。ＰＵＭＵＸ２０３は、パンクチャ（ｐｕｎｃｔｕｒｅ）回路とマルチプレクサ（ｍｕｔｉｐｌｅｘｅｒ）とを合わせた間引き多重化回路であり、情報系列とパリティ系列とを多重化した組織符号系列を出力する。プリコーダ２０４は、ＰＲチャネルに再帰的特性を与えるために設けられている。
【００２３】
一方、ターボ復号化回路２１は、ＰＲチャネル（内符号）に対するＡＰＰ（Ａ  Ｐｏｓｔｅｒｉｏｒｉ  Ｐｒｏｂａｂｉｌｉｔｙ：事後確率）復号化処理を行なうＡＰＰ復号器２１０と、ＤＥ−ＰＵＭＵＸ２１１と、インターリーバ２１２と、ＲＳＣ系列（外符号）に対するＡＰＰ復号化処理を行なうＡＰＰ復号器２１３と、繰り返し復号化処理時に使用されるＰＵＭＵＸ２１４と、ディインターリーバ２１５とを有する。
【００２４】
ＤＥ−ＰＵＭＵＸ２１１は、ディパンクチャ（ｄｅｐｕｎｃｔｕｒｅ）回路とディマルチプレクサ（ｄｅｍｕｔｉｐｌｅｘｅｒ）とを合わせた回路であり、ＰＵＭＵＸ２０３の逆変換処理を実行する。また、ディインターリーバ２１５は、インターリーバ２１２の逆変換処理を実行する。
【００２５】
更に、ターボ復号化回路２１は、硬判定器２１６及びＲＬＬ復号器２１７を含む。硬判定器２１６は、ＡＰＰ復号器２１３から出力される対数尤度比（ＬＬＲ：Ｌｏｇ  Ｌｉｋｅｌｉｈｏｏｄ  Ｒａｔｉｏ）を閾値として２値判定を実行し、最終的なターボ復号化系列を決定する。ＲＬＬ復号器２１７は、ターボ符号化系列に対してＲＬＬ復号化処理を実行して、元のユーザデータに相当する再生データ系列（ＲＤ）を出力する。ここで、ＡＰＰ復号器２１３は、ＬＬＲを除く外符号の外部情報をＰＵＭＵＸ２１４に出力する。
【００２６】
（ターボコーデックの動作）
以下、同実施形態のターボコーデック５０の動作を説明する。
【００２７】
データ記録時には、図１に示すように、ＨＤＣ６は、ホストシステム（例えばパーソナルコンピュータ等）から受信した記録データＷＤ（情報系列）をリード／ライトチャネル５に送出する。リード／ライトチャネル５では、ターボ符号化回路２０がターボ符号化処理を実行し、ライト信号処理回路５１を経てライトアンプ４１に出力する。
【００２８】
ターボ符号化回路２０では、ＲＳＣ符号器２０２は、記録データ系列ＷＤのＲＬＬ符号系列に対してＲＳＣ符号化処理を実行する。ここで、ＲＳＣ符号器２０２は、例えば図３に示すように、１ビットの遅延素子（Ｄ）と、ｍｏｄ２加算器（排他的論理和ゲート（＋））とから構成されている。図３は、拘束長が３の場合のＲＳＣ符号器２０２の具体例を示す。入力情報系列（Ｕｋ）は、ＲＬＬ符号器２００から出力されるＲＬＬ符号系列である。また、ＲＳＣ符号器２０２が生成するパリティ系列（Ｐｋ）は、内部系列（Ｚｋ）として表現される。
【００２９】
インターリーバ２０１は、インターリーバ長Ｎでインターリーブ処理（撹拌処理）したＲＬＬ符号系列をＲＳＣ符号器２０２に与える。
【００３０】
ＲＳＣ符号器２０２は、下記式（１）に示すような拘束長Ｋと冗長ビットＪに従って、情報系列とパリティ系列とからなるＲＳＣ（再帰的組織符号系列）を生成する。
【００３１】
【数１】
0003607683.tif 000002
【００３２】
ＲＳＣ符号器２０２は、図４に示すように、インターリーバ長Ｎに相当する情報ビット列であるＲＬＬ符号系列を、符号長Ｍを単位としてＲＳＣ系列に変換する。即ち、ＲＳＣ符号器２０２は、拘束長Ｋにおいて、符号長Ｍ毎にある状態に遷移するようにＪビットの冗長ビットを挿入する処理を実行する。
【００３３】
ＰＵＭＵＸ２０３は、ＲＳＣ符号器２０２から出力されたパリティ系列からｍビット毎に１ビットを取り出して、ＲＳＣ符号器２０２からの情報系列に挿入する処理を実行する。従って、符号化率（パンクチャレート）は、「ｍ／（ｍ＋１）」となる。
【００３４】
次に、プリコーダ２０４は、下記式（２）に示すような拘束長Ｋと冗長ビットＪに従って、符号長Ｍｉ毎にある状態に遷移するように、冗長ビットＪを挿入する処理を実行する。
【００３５】
【数２】
0003607683.tif 000003
【００３６】
ここで、外符号の符号長Ｍと内符号の符号長Ｍｉとの間には、下記式（３）に示すような関係がある。
【００３７】
【数３】
0003607683.tif 000004
プリコーダ２０４は、ＰＵＭＵＸ２０３からの組織符号化系列に対して前記のような一種の逆変換処理を実行した後に、ライト信号処理回路５１に送出する。ライト信号処理回路５１は記録補償処理を実行して、ライトアンプ４１に組織符号化系列を送出する。従って、ライトヘッドはライトアンプ４１から供給される書き込み電流により、ディスク１上にターボ符号化された記録データ信号を記録する。
【００３８】
次に、ディスク１上からリードヘッドにより読出されると、当該再生データ信号（ＤＳ）は、リードアンプ４０により増幅されて、リード／ライトチャネル５に送られる。再生データ信号は、リードチャネルでの一連の信号処理系を経て、ターボ復号化回路２１に送られる。
【００３９】
ターボ復号化回路２１では、ＡＰＰ復号器２１０は、イコライザ５５のＦＩＲ式ディジタルフィルタからの出力信号と、事前対数尤度比とを入力する。ＡＰＰ復号器２１０は、下記式（４）に示すように、符号長Ｍｕ１を単位として、事後確率（ＡＰＰ）復号化処理を実行して、外部対数尤度比を出力する。
【００４０】
【数４】
0003607683.tif 000005
【００４１】
外部対数尤度比は、ターボ符号化回路２０のＰＵＭＵＸ２０３の逆変換を実行するＤＥ−ＰＵＭＵＸ２１１により情報系列に対する事前対数尤度比と、パリティ系列に対する事前対数尤度比とに分けられる。情報系列に対する事前対数尤度比は、インターリーバ２０１と同一機能のインターリーバ２１２によりインターリーブ処理（撹拌）されて、パリティ系列に対する事前対数尤度比と共にＡＰＰ復号器２１３に入力される。
【００４２】
ＡＰＰ復号器２１３は、前記式（４）に示すような符号長Ｍｕ２を単位として、事後確率（ＡＰＰ）復号化処理を実行して、情報系列に対する外部対数尤度比と、パリティ系列に対する外部対数尤度比とを出力する。情報系列に対する外部対数尤度比は、インターリーバ２０１と逆変換を実行するディインターリーバ２１５により元の系列に戻された後に、パリティ系列に対する外部対数尤度比と共にＰＵＭＵＸ２１４に入力される。
【００４３】
ＰＵＭＵＸ２１４は、ターボ符号化回路２０のＰＵＭＵＸ２０３と同一変換処理を実行し、内符号であるプリコーディッドＰＲチャネルに対する事前対数尤度比としてＡＰＰ復号器２１０に入力される。また、ディインターリーバ２１５の出力系列は、「０」を閾値とする硬判定器２１６に入力される。硬判定器２１６は、２値判定結果をＲＬＬ復号器２１７に出力する。ＲＬＬ復号器２１７は、ＲＬＬ復号化処理を実行して、元のユーザデータに相当する再生データ系列（ＲＤ）を出力する。
【００４４】
以上のように同実施形態のリード／ライトチャネル５では、ターボ符号化／復号化処理が実行される。一般的に、符号化／復号化では、符号長が大きい程、誤り訂正能力が向上し、結果として良好な誤り訂正率（改善量）を実現できる。しかしながら、単に符号長を大きくすると、ターボ復号化回路２１でのＡＰＰ復号器２１０，２１３などの回路構成が複雑化し、回路規模の増大化を招く。
【００４５】
そこで、同実施形態の方式では、図４に示すように、インターリーバ長Ｎに対して外符号の符号長Ｍを相対的に小さくし、当該符号長Ｍを単位として符号／復号処理が実行される。ターボ符号化／復号化方式では、外符号と内符号とがインターリーバを介して接続されて、符号化／復号化が実行されるため、見掛け上のり符号長は小さくならない。ここで、インターリーバ長Ｎと外符号の符号長Ｍとの関係を下記式（５）より表現できる。
【００４６】
【数５】
0003607683.tif 000006
【００４７】
即ち、ｃを大きくすることにより、符号長Ｍを相対的に小さくしても、符号化系列全体の見掛け上の符号長は小さくならない。
【００４８】
また、同様に、内符号の符号長Ｍｉを相対的に小さくすることも可能である。前記式（３）のｂを「１」とした場合に、インターリーバ長Ｎと内符号の符号長Ｍｉとの関係を下記式（６）より表現する。
【００４９】
となる。
【００５０】
【数６】
0003607683.tif 000007
【００５１】
要するに、同実施形態のターボ符号化／復号化方式であれば、外符号と内符号の各符号長Ｍ，Ｍｉを相対的に小さくしても、符号化系列全体の見掛け上の符号長は小さくならない。従って、見掛け上の符号長は相対的に大きいため、良好な誤り訂正率（改善量）を確保できる。また、実際上の符号長を相対的に小さくできるため、ターボ復号化回路２１でのＡＰＰ復号器２１０，２１３などの回路構成を相対的に簡単化し、かつ回路規模の増大化を回避できる。
【００５２】
【発明の効果】
以上詳述したように本発明によれば、ディスクドライブにおいて、連接ターボ符号化／復号化方式を適用したリード／ライトチャネルを実現する場合に、良好な誤り訂正率（改善量）を確保できると共に、復号化系に使用されるＡＰＰ復号器などの回路構成の簡単化を図り、かつ回路規模の増大化を回避できる。
【図面の簡単な説明】
【図１】本発明の実施形態に関するディスクドライブの要部を示すブロック図。
【図２】同実施形態に関する連接ターボ符号／復号回路の要部を示すブロック図。
【図３】同実施形態に関するＲＳＣ符号器の一例を示すブロック図。
【図４】同実施形態に関するインターリーバ長と符号長との関係を示す図。
【符号の説明】
１…ディスク
２…スピンドルモータ
３…ヘッド
４…プリアンプ回路
５…リード／ライトチャネル
６…ディスクコントローラ（ＨＤＣ）
２０…ターボ符号化回路
２１…ターボ復号化回路
５０…ターボ符号化／復号化回路（ターボコーデック）
５１…ライト信号処理回路
５２…ＡＧＣ回路
５３…低域通過フィルタ（ＬＰＦ）
５４…Ａ／Ｄコンバータ
５５…イコライザ
２００…ＲＬＬ符号化器
２０１…インターリーバ
２０２…ＲＳＣ符号器
２０３…ＰＵＭＵＸ
２０４…プリコーダ
２１０…ＡＰＰ復号器
２１１…ＤＥ−ＰＵＭＵＸ
２１２…インターリーバ
２１３…ＡＰＰ復号器
２１４…ＰＵＭＵＸ
２１５…ディインターリーバ
２１６…硬判定器
２１７…ＲＬＬ復号化器
【図１】
0003607683.tif 000008
【図２】
0003607683.tif 000009
【図３】
0003607683.tif 000010
【図４】
0003607683.tif 000011